(57)【特許請求の範囲】
【請求項１】
建築資材等の荷物を受け取る荷受けステージを枠組足場の外側部所要高さ位置に仮設する工法において、地上で荷受けステージを予め枠組み形成し、枠組足場にはその外側部のステージ取付位置に複数個の取付金具を取り付け、前記荷受けステージをクレーンにより吊り上げて当該ステージの一端側を前記各取付金具に取り付けるにあたって、枠組足場に対し外側へ水平に張り出すように延びる複数の梁枠を所定間隔に配置して、その上に足場板を載設し、両端側の梁枠に側部手摺りを取り付けると共に、梁枠の先端側に前部手摺りを取り付け、更に各梁枠の先端部に斜材の一端部を枢着すると共に、該斜材を梁枠と平行姿勢に折り畳んで当該斜材の遊端部側を梁枠に仮止めするようにして、荷受けステージを地上にて枠組み形成し、この荷受けステージを吊り上げた状態で、各斜材の遊端部側と梁枠との仮止めを解除して斜材の遊端部側を引き降ろし、各斜材の他端部と各梁枠の基端部との間に吊り材を取り付けた後、各梁枠の基端部及び各斜材の他端部を、枠組足場側の取付金具に取り付けることを特徴とする枠組足場用荷受けステージの仮設工法。
【請求項２】
荷受けステージを吊り上げた状態で各梁枠の基端部を枠組足場側の取付金具に取り付けるにあたり、各梁枠の基端部に設けた掛止部を各取付金具の被掛止部に掛止した後、各梁枠の基端部を取付金具にボルト止めすることを特徴とする請求項１に記載の枠組足場用荷受けステージの仮設工法。
【請求項３】
側部手摺り及び前部手摺りのそれぞれ下部側には幅木を取り付けることを特徴とする請求項１又は２に記載の枠組足場用荷受けステージの仮設工法。
【発明の詳細な説明】
【０００１】
【発明の属する技術分野】
本発明は、足場を組んでビル等の建物を築造するときにクレーンで吊り上げた建築資材等の荷物を受け取るための荷受けステージを枠組足場の外側部所要高さ位置に仮設する工法に関する。
【０００２】
【従来の技術】
従来、枠組足場に荷受けステージを仮設するにあたっては、枠組足場の外側部所要高さ位置において、多数本の単管（鋼管からなる枠材単体）を縦横及び斜めにそれぞれ所要間隔に配し、それら単管の枠組足場側連結部及び単管相互の交差部を１つずつパイプクランプにより固定して、梁部と斜材とからなる側面視略倒三角形のステージ本体を形成し、このステージ本体の梁部上に合板を敷設して針金等で固定し、更に梁部の周縁に上記同様に単管とパイプクランプによって手摺りを設置すると云う方法によって荷受けステージを枠組み形成していた。
【０００３】
【発明が解決しようとする課題】
上記のような従来の方法では、枠組足場外側部の地上から所要高さのところで、多数の単管とパイプクランプとによって、枠組足場との連結作業、及び荷受けステージの枠組み作業を行うことから、パイプクランプの個数が数十個にもなって、作業に非常な手間と時間を要し、また枠組足場外側部の高所位置で上記合板の敷設作業や手摺りの取付作業を行うため、その作業中に作業者が落下する危険性があった。更に荷受けステージは、建築の進行に伴い枠組足場の高さが高くなると、枠組足場の高所側に付け替える必要があるが、従来の方法では、荷受けステージの付け替えを行うたびに、荷受けステージの分解作業と組付け作業行う必要があって、荷受けステージの仮設作業能率が非常に悪かった。
【０００４】
本発明は、荷受けステージの仮設作業を容易且つ迅速にしかも安全に行えると共に、荷受けステージの付け替えを簡単に行うことのできる仮設工法を提供することを課題とする。
【０００５】
【課題を解決するための手段】
請求項１に係る発明は、建築資材等の荷物を受け取る荷受けステージＳを枠組足場Ｗの外側部所要高さ位置に仮設する工法において、地上で荷受けステージＳを予め枠組み形成し、枠組足場Ｗにはその外側部のステージ取付位置に複数個の取付金具２を取り付け、前記荷受けステージＳをクレーンにより吊り上げて当該ステージＳの一端側を前記各取付金具２に取り付けるにあたって、枠組足場Ｗに対し外側へ水平に張り出すように延びる複数の梁枠３を所定間隔に配置して、その上に足場板４を載設し、両端側の梁枠３に側部手摺り５を取り付けると共に、梁枠３の先端側に前部手摺り８を取り付け、更に各梁枠３の先端部に斜材９の一端部を枢着すると共に、該斜材９を梁枠３と平行姿勢に折り畳んで当該斜材９の遊端部側を梁枠３に仮止めするようにして、荷受けステージＳを地上にて枠組み形成し、この荷受けステージＳを吊り上げた状態で、各斜材９の遊端部側と梁枠３との仮止めを解除して斜材９の遊端部側を引き降ろし、各斜材９の他端部と各梁枠３の基端部との間に吊り材１０を取り付けた後、各梁枠３の基端部及び各斜材９の下端部を、枠組足場Ｗ側の取付金具２に取り付けることを特徴とする。
【０００７】
請求項２は、請求項１に記載の枠組足場用荷受けステージの仮設工法において、荷受けステージＳを吊り上げた状態で各梁枠３の基端部を枠組足場Ｗ側の取付金具２に取り付けるにあたり、各梁枠３の基端部に設けた掛止部２８を各取付金具２の被掛止部１８に掛止した後、各梁枠３の基端部を取付金具にボルト１６止めすることを特徴とする。
【０００９】
請求項３は、請求項１又は２に記載の枠組足場用荷受けステージの仮設工法において、側部手摺り５及び前部手摺り８のそれぞれ下部側には幅木１１を取り付けることを特徴とする。
【００１０】
【発明の実施の形態】
図１は、本発明の工法によって枠組足場Ｗの外側部所要高さ位置に仮設された荷受けステージＳを示す斜視図、図２は同荷受けステージＳの側面図、図３は同荷受けステージＳの平面図、図４は同荷受けステージＳの正面図である。枠組足場Ｗは、周知の構造であって、これらの図から分かるように、両側一対の縦枠材ａ，ａと両縦枠材ａ，ａをつなぐ横枠材ｂとからなる門形の建枠１を地上に一定間隔おきに配置すると共に、各建枠１を上下複数段に連結し、更に上下複数段に継ぎ足し連結される建枠１群相互を、斜めに交差する控え材（図示せず）により連結することによって形成されるもので、隣合う建枠１，１間には足場板Ｍが載設される。しかして、荷受けステージＳは、枠組足場Ｗのステージ取付位置に取り付けられた複数個（図示例では６個）の取付金具２によって取り付けられている。
【００１１】
荷受けステージＳは、枠組足場Ｗに対し外側へ水平に張り出すように延びて、互いに所定間隔に配置される例えば３個の梁枠３と、これら３個の梁枠３相互間に載設される複数枚（図示例では６枚）の足場板４と、３個の梁枠３のうち両端側の梁枠３、３に取り付けられる側部手摺り５，５と、中央の梁枠３の先端部に取り付けられる手摺り支柱６及びこれと各側部手摺り５との間に横架される手摺り複数本の枠７からなる前部手摺り８と、各梁枠３の先端下部に枢着される斜材９と、各斜材９の遊端部と各梁枠３の基端部とをつなぐ吊り材１０と、各手摺り５，８の下部に取り付けられる幅木１１と、から構成される。
【００１２】
前記荷受けステージＳの構造について図７〜図１１により更に詳しく説明すると、各梁枠３は、図７の（Ａ）〜（Ｅ）に示すように、基端側縦枠材２３と、先端側縦枠材２４と、上下横枠材２５，２５と、両横枠材２５，２５間に取り付けられた複数の補強枠材２６とで枠組み形成され、基端側縦枠材２３の上端部にはその最上位に、支持ピン２８が梁枠３と直交する方向に貫通突設され、その下方にボルト挿通孔２９，３０が穿設され、また基端側縦枠材２３の下部側には、枠組足場Ｗの縦枠材ａに係合する平面視円弧状係合部２７ａを有する係合部材２７が突設され、下横枠材２５の基端側下部にはピン孔３１ａ付き取付部片３１が突設されている。また、先端側縦枠材２４の下端にはコ字形ブラケット３２が固着され、これに斜材９の一端部がピン３３により枢着されている。この斜材９は、梁枠３の使用に際して前記吊り材１０を取り付けるまでは、図７の（Ａ）に示すように梁枠３と平行姿勢に折り畳んで、当該斜材９の他端側（遊端側）を、基端側縦枠材２３の下端に固着してあるコ字形ブラケット３４に嵌合して蝶ねじ３５により仮止めしている。また、斜材９の遊端側にはピン孔３６ａ付き取付部片３６が突設され、この取付部片３６と梁枠３側の前記取付部片３１とに前記吊り材１０の両端部が取り付けられるようになっている。
【００１３】
各側部手摺り５は、図８に示すように、基端側手摺り支柱３８と、先端側手摺り支柱３９と上部手摺り枠４０と下部手摺り枠４１とによって枠組み形成され、上部手摺り枠４０の基端側は、基端側手摺り支柱３８を越えて突出し、その突出端部に周知構造のパイプクランプ４２が取り付けられ、基端側手摺り支柱３８の下端には、梁枠３の横枠材２５に嵌合可能なコ字形ブラケット４３が固着されている。両手摺り支柱３８，３９の下端部対向側面には、幅木１１の両側端部を嵌合するコ字形ブラケット４４がそれぞれ固着されている。また、先端側手摺り支柱３９の上端及びその中間部位には、それぞれ屈曲自在なロック爪４５付きのピン４５が取り付けられている。
【００１４】
図１０の（Ａ）は幅木１１を示す正面図、（Ｂ）はその横断面図で、この図から分かるように、幅木１１は、前後及び中間の縦フレーム１１ａと、上下の横フレーム１１ｂと、網目状面板（一般にエキスパンドメタルと言う）１１ｃとによって形成される。図１１の（Ａ）及び（Ｂ）は吊り材１０を示すもので、この吊り材１０の両端部には、それぞればね付勢式ロック爪４６ａを有するピン４６が突設されている。この吊り材１０を梁枠３の基端部と斜材９の遊端部とに取り付ける際に、その一端部側のピン４６が、梁枠３の基端部側に突設された取付部片３１のピン孔３１ａに挿入されてロック爪４６ａによりロックされると共に、他端部側のピン４６が、斜材９の遊端部に取り付けられた取付部片３６のピン孔３６ａに挿入されてロック爪４６ａによりロックされるようになっている。
【００１５】
前部手摺り８については、図４に概略示しているだけで、詳細な図示は省略しているが、この前部手摺り８の手摺り支柱６は、前記側部手摺り５の先端側手摺り支柱３９と殆ど同じ構造（図８参照）で、当該支柱６の上端及びその中間部位にそれぞれ屈曲自在なロック爪付きのピンが取り付けられていると共に、当該支柱６の下端部に幅木１１の端部を嵌合するコ字形ブラケットが取り付けられている。また、前部手摺り８の各手摺り枠７は両端部にピン孔（図示省略）を有し、従って各手摺り枠７の取り付けにあたっては、手摺り枠７の一端部のピン孔を側部手摺り５の先端側手摺り支柱３９のピン４５に挿通させてロック爪４５ａでロックさせ、また他端部のピン孔を前部手摺り８の手摺り支柱６のピンに挿通させてロック爪でロックさせればよい。
【００１６】
さて、前記取付金具２の構造について図１２及び図１３を参照して説明すると、この取付金具２は、枠組足場Ｗの縦枠材ａと横枠材ｂとの交差部において横枠材ｂ上に支持されると共に当該横枠材ｂの上位側で縦枠材ａを掴持する金具固定部Ｘと、前記荷受けステージＳにおける梁枠３の基端側縦枠材２３または斜材９の下端部を取り付ける荷受けステージ取付部Ｙとによって構成される。
【００１７】
上記構造について更に詳述すると、この取付金具２は、両側一対の腕板１２，１２をヒンジ１３により蝶着して、ヒンジ１３を挟んで両腕板１２，１２の一端側と他端側とが交互に開閉するように構成すると共に、両腕板１２，１２の一端側を金具固定部Ｘとし、他端側を荷受けステージ取付部Ｙとしてなるもので、金具固定部Ｘは、それぞれ一対の対向する掴持腕部２１、２１及び跨嵌部２２，２２からなり、両掴持腕部２１、２１は、枠組足場Ｗの縦枠材ａ外周面に嵌合する半円形状の嵌合部２１ａ，２１ａを有し、そして荷受けステージ取付部Ｙは、一対の対向するボルト取付板部１７，１７からなる。
【００１８】
金具固定部Ｘには、両掴持腕部２１、２１により枠組足場Ｗの縦枠材ａを掴持して締結するためのボルト１５が、両腕板１２，１２にわたって貫通するボルト挿通孔３７（図１３参照）に挿脱自在に挿通される。また、荷受けステージ取付部Ｙのボルト取付板部１７，１７にはその上端部に、荷受けステージＳにおける梁枠３の基端側縦枠材２３に突設した支持ピン２８を掛止させるためのピン掛止用溝１８，１８が設けられ、またこのピン掛止用溝１８，１８の下方には、ボルト挿通孔１９，１９、２０，２０が上下２段に設けてあって、上下いずれかのボルト挿通孔１９，１９または２０，２０にボルト１６が挿通される。
【００１９】
前記金具固定部Ｘの跨嵌部２２，２２は、図１３の（Ｃ）から分かるように、枠組足場Ｗの横枠材ｂの外周面形状に対応する円弧状に形成された嵌合部２２ａ，２２ａを有し、また掴持腕部２１、２１には、図１２及び図１３の（Ｂ）に示すように、枠組足場Ｗの縦枠材ａから突出する縦枠材連結ピンＰを逃がすための開口部４７が開口形成されている。この縦枠材連結ピンＰは、図４から分かるように、枠組足場Ｗの建枠１を継ぎ足すときに下段側建枠１の縦枠材ａと上段側建枠１の縦枠材ａとを連結するピンである。尚、図１２及び図１３において、１４はヒンジ１３のヒンジピンである。
【００２０】
次に、上述のような構成を有する取付金具２の使用して枠組足場Ｗに荷受けステージＳを仮設する方法について、図１４〜１６をも参照して説明する。この実施形態では、３個の梁枠３を使用して荷受けステージＳを形成する。
【００２１】
先ず、地上において荷受けステージＳを枠組み形成する。即ち、図１４の▲１▼に示すように３個の梁枠３を所定間隔で平行に配置し、その両端の梁枠３に側部手摺り５を取り付ける。そして、これら３個の梁枠３上に６枚の足場板４を載設し、中央の梁枠３の先端部に手摺り支柱６を取り付け、この手摺り支柱６と両側部手摺り５，５の先端側手摺り支柱３９，３９とに亘り上下の手摺り枠７を横架して前部手摺り８を形成し（図４参照）、図１４の▲２▼に示すような状態とする。
【００２２】
この荷受けステージＳを枠組みする場合、各梁枠３の先端側縦枠材２４に枢着してある斜材９は、図７及び図１４▲１▼及び▲２▼に示すように、予め梁枠３と平行状態に折り畳んで、この梁枠３に仮止めしておく。また、梁枠３に側部手摺り５を取り付けるには、図１４の▲１▼に示す状態から、梁枠３の先端側縦枠材２４の上端径小部２４ａ（図７参照）に側部手摺り５の先端側手摺り支柱３９の下端部を外嵌してピン（図示せず）止めすると共に、基端側手摺り支柱３８の下端に取り付けてあるコ字形ブラケット４３を梁枠３の横枠材２５の基端部に嵌合させてピン止めすればよい。また、前部手摺り８の手摺り支柱６は、その下端部を中央の梁枠３の先端側縦枠材２４の上端径小部に外嵌してピン止めした後、各手摺り枠７の各端部のピン孔を側部手摺り５の先端側手摺り支柱３９のピン４５に挿通させてロック爪４５ａでロックさせ、また他端部のピン孔を前部手摺り８の手摺り支柱６のピンに挿通させてロック爪でロックさせるようにすることにより、簡単に取り付けることができる。足場板４を各梁枠３上に載設するには、図５に部分的に示すように、両端部に２個ずつ設けてあるフック４ａを梁枠３の上横枠材２５に掛止させればよい。
【００２３】
上記のようにして荷受けステージＳを枠組み形成したならば、図１４の▲３▼に示すように荷受けステージＳの四隅にロープＲを掛けて、このステージＳをクレーン（図示せず）で例えば１．８ｍ程度吊り上げて一旦止めた状態で、各梁枠３に沿って折り畳まれている斜材９の遊端側を下方へ引き降ろして、この斜材９の遊端部と各梁枠３の基端部との間に前述した要領で吊り材１０の両端部を取り付ける。
【００２４】
一方、図１５に示すように枠組足場Ｗのステージ取付位置に上段側３個と下段側３個との６個の取付金具２をそれぞれ取り付ける。この取付金具２の取り付けにあたっては、各取付金具２に取り付けられる２本のボルト１５，１６を予め外しておき、そして両腕板１２，１２をヒンジ１３を中心に枢動してその金具固定部Ｘを図１３（Ａ）の仮想線図示のように開口させ、この開口した金具固定部Ｘの両掴持腕部２１、２１をその嵌合部２１ａ，２１ａを介して枠組足場Ｗの縦枠材ａに抱き合わせると共に、跨嵌部２２，２２を図１２及び図１３に示すように枠組足場Ｗの横枠材ｂ上に跨がらせた状態とし、そのあと金具固定部Ｘを閉じて、この金具固定部Ｘ側のボルト１５を両腕板１２，１２間に挿通し、ナット１５ａを締め付けて掴持腕部２１、２１で縦枠材ａを掴持し、こうして枠組足場Ｗの縦枠材ａと横枠材ｂとの交差部に取付金具２を取り付け固定する。このとき、図１３の（Ａ）及び（Ｂ）に示すように跨嵌部２２，２２の円弧状嵌合部２２ａ，２２ａが横枠材ｂの上面側に嵌合しているから、取付金具２の向きが所定方向に定まり、即ち取付金具２の荷受けステージ取付部Ｙが横枠材ｂの長手方向に向くように位置決めされる。
【００２５】
上記のようにして６個の取付金具２を枠組足場Ｗのステージ取付位置に取り付け固定した後、荷受けステージＳを図１５に示すようにクレーン（図示せず）で吊り上げて枠組足場Ｗのステージ取付位置へ移動させ、しかして荷受けステージＳの各梁枠３の基端側縦枠材２３を、上記６個の取付金具２のうち上段側３個の各取付金具２の荷受けステージ取付部Ｙの開口したボルト取付板部１７，１７間に挿入して、基端側縦枠材２３の上端部に取り付けてある支持ピン２８を上記ボルト取付板部１７，１７のピン掛止用溝１８，１８に掛止させると共に、上記基端側縦枠材２３の下部側に取り付けてある係合部材２７の円弧状係合部２７ａを枠組足場Ｗの縦枠材ａに当接係合させ、また各梁枠３に枢着してある斜材９の下端部を、下段側３個の各取付金具２の荷受けステージ取付部Ｙの開口したボルト取付板部１７，１７間に挿入する（図１６参照）。この状態で荷受けステージＳは、３個の梁枠３の支持ピン２８を介して枠組足場Ｗの上段側３個の取付金具２に掛止されて荷重負担され、しかも各梁枠３の基端側縦枠材２３の下部側に取り付けてある係合部材２７が枠組足場Ｗの縦枠材ａに当接係合されているから、このままでも荷受けステージＳは安定状態を保つことができる。
【００２６】
しかる後、上段側３個の各取付金具２における荷受けステージ取付部Ｙ側のボルト１６を、ボルト取付板部１７，１７のボルト挿通孔１９，１９または２０，２０から梁枠３の基端側縦枠材２３に設けられたボルト挿通孔２９，３０（図１６参照）に亘って挿通し、また下段側３個の各取付金具２における荷受けステージ取付部Ｙ側のボルト１６を、ボルト取付板部１７，１７のボルト挿通孔１９，１９または２０，２０から斜材９の下端部に設けられたボルト挿通孔４８（図１６参照）に亘って挿通し、各ボルト１６のナット１６ａを締めればよく、これによって荷受けステージＳの各梁枠３を上段側と下段側の取付金具２に確実堅固に固定することができる。尚、各側部手摺り５を形成している上部手摺り枠４０の基端側は、パイプクランプ４２によって枠組足場Ｗの縦枠材ａに固定すればよい。
【００２７】
荷受けステージＳの側部手摺り５及び前部手摺り８のそれぞれ下部に取り付けられる各幅木１１は、地上に荷受けステージＳを枠組みするときに取り付けてもよいし、各梁枠３を各取付金具２に取り付け固定した後、このステージＳの足場板４の上で取り付けるようにしてもよい。
【００２８】
以上のようにして荷受けステージＳを枠組足場Ｗの外側部所要高さ位置に仮設するわけであるが、建築作業の進行により枠組足場が高くなって、この荷受けステージＳを一段高所側に付け替えるときには、各取付金具２における荷受けステージ取付部Ｙ側のボルト１６を取り外す一方、枠組足場Ｗの所定の付け替え位置に取付金具２を前記同様に取り付け、しかして上記荷受けステージＳをクレーンで吊り上げて、このステージＳの一端側を当該付け替え位置にある各取付金具２に前記同様の要領で取り付ければよい。
【００２９】
以上、図面によって説明したような荷受けステージＳの仮設工法によれば、荷受けステージＳを地上で予め枠組み形成し、この枠組みした荷受けステージＳをクレーンにより吊り上げて、枠組足場Ｗのステージ取付位置に取り付けた複数個の取付金具２に当該荷受けステージＳの一端側を取り付けるようにするから、仮設作業が容易且つ迅速に行え、従来工法に比べて作業能率を格段に向上させることができると共に、ステージＳの構成部材更には作業員が落下するおそれが少なく、作業上の安全性を確保することができる。特に、建築作業の進行により枠組足場が高くなって荷受けステージＳを一段高所側に付け替えるときの付け替え作業が従来工法に比べて頗る容易となる。
【００３０】
また、上述した仮設工法においては、地上で荷受けステージＳを枠組みするにあたり、複数の梁枠３を所定間隔に配置して、その上に足場板４を載設し、両端側の梁枠３に側部手摺り５を取り付けると共に、梁枠３の先端側に前部手摺り８を取り付け、各梁枠３の先端部に斜材９の上端部を枢着することによって荷受けステージＳを形成し、この荷受けステージＳを吊り上げた状態で、各斜材９の他端部と各梁枠３の基端部との間に吊り材１０を取り付けた後、各梁枠３の基端部と各斜材９の下端部を、枠組足場Ｗ側の取付金具２に取り付けるようにするから、多数の単管とパイプクランプとによって荷受けステージの枠組み行う従来工法に比べ、荷受けステージＳの構成部材点数が少なく、ボルトの締め付けを必要とする箇所が著しく軽減し、従ってステージＳの組み付けが非常に簡単となる。
【００３１】
また、荷受けステージＳを吊り上げた状態で各梁枠３の基端部を枠組足場Ｗ側の取付金具２に取り付けるに際に、各梁枠３の基端部に設けた支持ピン２８（掛止部）を各取付金具２のピン掛止用溝１８（被掛止部）に掛止させた後、各梁枠３の基端部を取付金具２にボルト１６止めするようにしているから、位置決めが容易に行えると共に、ボルト１６の取り付けが容易となる。
【００３２】
更に、斜材９は、図１４の▲１▼及び▲２▼に示すように、吊り材１０を取り付けるまでは梁枠３と平行姿勢に折り畳んで当該斜材９の遊端部側を梁枠３に仮止めしておくができるため、地上でのステージＳの枠組みが容易になると共に、ステージＳを分解して搬送したり保管する際に便利である。更にまは、側部手摺り５及び前部手摺り８のそれぞれ下部側に専用の幅木１１を取り付けるようにしているので、ステージＳの使用時に足場板４上に置いた建築資材等が手摺り５，８の下部から滑り落ちるといった心配がない。
【００３３】
また、梁枠３、足場板４、側部手摺り５、前部手摺り８、斜材９、吊り材１０、及び取付金具２の各部材がそれぞれ専用部材として製作され、それぞれの組み付け位置が取り付け位置が決められているから、多数の単管とパイプクランプとによって荷受けステージの枠組み行う従来工法のように水平、垂直のレベル調整を行う必要がなく、従って取り付け及び組み付け作業が非常に簡単且つ容易となり、特に荷受けステージＳを高所側に付け替える際には、ボルトを数本外すだけでよいから、非常に有効である。また、足場板４及び手摺り４，５は既製品を使用できるので、上記専用部材の種類が少なくなり、製作コストを軽減できる。
【００３４】
【発明の効果】
請求項１に係る発明の工法によれば、荷受けステージを地上で予め枠組み形成し、この枠組みした荷受けステージをクレーンにより吊り上げて、枠組足場のステージ取付位置に取り付けた複数個の取付金具に当該ステージの一端側を取り付けるようにするから、荷受けステージの仮設作業が容易且つ迅速に行え、従来工法に比べて作業能率を格段に向上させることができると共に、従来工法のようにステージ構成部材更には作業員が落下すると云った危険性が少なく、作業上の安全性を確保することができる。特に、建築作業の進行により枠組足場が高くなって荷受けステージを一段高所側に付け替えるときの付け替え作業が従来工法に比べて頗る簡単となる。
【００３５】
また本発明によれば、地上で荷受けステージを枠組みするにあたり、複数の梁枠を所定間隔に配置して、その上に足場板を載設し、両端側の梁枠に側部手摺りを取り付けると共に、梁枠の先端側に前部手摺りを取り付け、各梁枠の先端部に斜材の上端部を枢着することによって荷受けステージを形成し、この荷受けステージを吊り上げた状態で、各斜材の他端部と各梁枠の基端部との間に吊り材を取り付けた後、各梁枠の基端部と各斜材の下端部を、枠組足場側の取付金具に取り付けるようにするから、構造的に頑強で安定した荷受けステージを形成できる上に、多数の単管とパイプクランプとによって荷受けステージの枠組み行う従来工法に比べ、荷受けステージの構成部材点数が少なく、ボルトの締め付けを必要とする箇所が著しく軽減し、従ってステージの組み付けが非常に簡単となる。
更にまた本発明によれば、前記斜材は、吊り材を取り付けるまでは梁枠と平行姿勢に折り畳んで当該斜材の遊端部側を梁枠に仮止めしておくことによって、地上でのステージの枠組みが容易になると共に、ステージを分解して搬送したり保管する際に便利である。
【００３６】
請求項２によれば、荷受けステージを吊り上げた状態で各梁枠の基端部を枠組足場側の取付金具に取り付けるに際に、各梁枠の基端部に設けた掛止部を各取付金具の被掛止部に掛止させた後、各梁枠の基端部を取付金具にボルト止めするようにしているから、位置決めが容易に行えると共に、ボルトの取り付けが簡単容易となる。
【００３８】
請求項３によれば、側部手摺り及び前部手摺りのそれぞれ下部側に幅木を取り付けることによって、ステージ使用時に足場板上に置いた建築資材等が各手摺りの下部から滑り落下するといった心配がなく、安全である。
【図面の簡単な説明】
【図１】  本発明の工法によって枠組足場の外側部所要高さ位置に仮設された荷受けステージを示す斜視図である。
【図２】  同荷受けステージの側面図である。
【図３】  同荷受けステージの平面図である。
【図４】  同荷受けステージの正面図である。
【図５】  図２の矢印イで囲まれた構造部分の拡大平面図である。
【図６】  同じく図２の矢印イで囲まれた構造部分の拡大正面図である。
【図７】  （Ａ）は斜材を枢着した梁枠の正面図、（Ｂ）は（Ａ）の矢印ロで囲まれた構造部分の拡大正面図、（Ｃ）は（Ｂ）の側面図、（Ｄ）は（Ａ）の矢印ハで囲まれた構造部分の拡大正面図、（Ｅ）は（Ｄ）の底図である。
【図８】  側部手摺りを示す正面図である。
【図９】  （Ａ）は図８の矢印ニで囲まれた構造部分の拡大正面図、（Ｂ）は（Ａ）の縦断面図、（Ｃ）は図８の矢印ホで囲まれた構造部分の拡大正面図、（Ｄ）は（Ｃ）の平面図である。
【図１０】  （Ａ）は幅木を示す正面図、（Ｂ）はその横断面図である。
【図１１】  （Ａ）は吊り材を示す正面図、（Ｂ）はその側面図である。
【図１２】  取付金具を示す拡大斜視図である。
【図１３】  （Ａ）は取付金具を示す平面図、（Ｂ）は取付金具の正面図、（Ｃ）は取付金具の側面図である。
【図１４】  ▲１▼〜▲３▼は荷受けステージの仮設工法の前半部を示す説明斜視図
である。
【図１５】  同仮設工法の後半部を示す説明斜視図である。
【図１６】  荷受けステージの基端部を取付金具に取り付ける状態を示す拡大詳細正面図である。
【符号の説明】
Ｗ            枠組足場
Ｓ            荷受けステージ
１            建枠
ａ            建枠の縦枠材
ｂ            建枠の横枠材
２            取付金具
３            梁枠
４            足場板
５            側部手摺り
８            前部手摺り
９            斜材
１０          吊り材
１１          幅木
１２          取付金具の腕板
１３          取付金具のヒンジ
Ｘ            金具固定部
Ｙ            荷受けステージ取付部
１５          ボルト
１６          ボルト
１７          ボルト取付板部
１８          ピン掛止用溝（被掛止部）
１９          ボルト挿通孔
２０          ボルト挿通孔
２１          掴持腕部
２２          跨嵌部
２３          梁枠の基端側縦枠材
２４          梁枠の先端側縦枠材
２８          支持ピン（掛止部）
２９          ボルト挿通孔
３０          ボルト挿通孔
【図１】
0003642653.tif 000002
【図２】
0003642653.tif 000003
【図３】
0003642653.tif 000004
【図４】
0003642653.tif 000005
【図５】
0003642653.tif 000006
【図６】
0003642653.tif 000007
【図７】
0003642653.tif 000008
【図８】
0003642653.tif 000009
【図９】
0003642653.tif 000010
【図１０】
0003642653.tif 000011
【図１１】
0003642653.tif 000012
【図１２】
0003642653.tif 000013
【図１３】
0003642653.tif 000014
【図１４】
0003642653.tif 000015
【図１５】
0003642653.tif 000016
【図１６】
0003642653.tif 000017